(57)【要約】【課題】  スプリンクラーヘッドに用いられる被水防止装置において、スプリンクラーヘッドからの散水の勢いで被水防止部材が外れることが無く、且つ被水防止部材の位置調整・着脱を容易にする。【解決手段】  天井面Ｃに設けられた開口３から室内側に先端が露出して設置されたスプリンクラーヘッドＳに用いられる被水防止装置Ｈであり、開口３を覆うシーリングプレート１０は、天井面Ｃ接する皿部１２の中心側にスプリンクラーヘッドＳが挿通される穴１３を有しており、穴１３の縁に被水防止部材２０が設置される差込み穴１６が所定間隔で複数設置されており、差し込み穴１６は開口３の内側に配置され、被水防止部材２０は一端が差込み穴１６に挿通される係止部２１であり、他端にはスプリンクラーヘッドＳから散布される水を下方へ向ける遮水部２２が設置されている。 【選択図】    図１
2020150965.tif 000002
【特許請求の範囲】
【請求項１】
天井面に設けられた開口から室内側に先端が露出して設置されたスプリンクラーヘッドに用いられる被水防止装置であり、
前記開口を覆うシーリングプレートは、前記天井面に接する皿部の中心側に前記スプリンクラーヘッドが挿通される穴を有しており、
前記穴の縁に被水防止部材が設置される差込み穴が所定間隔で複数設置されており、
前記差し込み穴は前記開口の内側に配置され、
前記被水防止部材は一端が前記差込み穴に挿通される係止部であり、他端には前記スプリンクラーヘッドから散布される水を下方へ向ける遮水部が設置されている
ことを特徴とするスプリンクラーヘッドの被水防止装置。
【請求項２】
前記皿部は、中心側が前記室内側へ突出しており周縁に向かうに従い天井面に近づく傾斜を備える請求項１に記載のスプリンクラーヘッドの被水防止装置。
【請求項３】
前記係合部は前記差込み穴を通過して皿部の裏面と係合する爪を有しており、該爪は前記スプリンクラーヘッドに対向して係合される請求項１または請求項２に記載のスプリンクラーヘッドの被水防止装置。
【請求項４】
前記差込み穴は前記穴の縁に沿った円弧状または短冊状であり、前記係合部は前記差込み穴の形状と同じ断面形状を有する請求項１〜請求項３のいずれか１項に記載のスプリンクラーヘッドの被水防止装置。
【請求項５】
前記差込み穴は、前記穴と同芯である仮想円上に設置されている請求項１〜請求項４のいずれか１項に記載のスプリンクラーヘッドの被水防止装置。
【請求項６】
遮水部と係止部の間に皿部の表面に沿って配置される支持部を設置した請求項１〜請求項５のいずれか１項に記載のスプリンクラーヘッドの被水防止装置。
【請求項７】
前記１つの被水防止部材には複数の前記係合部が設置されている請求項１〜請求項６のいずれか１項に記載のスプリンクラーヘッドの被水防止装置。
【請求項８】
前記１つの差込み穴に複数の前記係合部が挿通される請求項１〜請求項７のいずれか１項に記載のスプリンクラーヘッドの被水防止装置。
【発明の詳細な説明】
【技術分野】
【０００１】
本発明は、天井に埋め込んで設置されるスプリンクラーヘッドの被水防止装置に関するものである。
【背景技術】
【０００２】
スプリンクラーヘッドは火災の熱を感知して自動的に水を散布して消火を行うものである。スプリンクラーヘッドは主に天井面に所定の間隔で設置されている。
【０００３】
被水防止装置は、主に住宅等の室内空間が狭い場所に設置されたスプリンクラーヘッドに用いられるものであり、被水防止装置が設置されたスプリンクラーヘッドが作動して散水を行う場合に、近隣に設置されたスプリンクラーヘッドへの被水を防ぐために設置されている。
【０００４】
従来の被水防止装置として、天井から室内に露出しているスプリンクラーヘッドに設置されたプロテクタに被水防止のための規制体を設置しているものがある（例えば、特許文献１参照。）。特許文献１ではスプリンクラーヘッドの周囲に設置された規制体によってスプリンクラーヘッドから散布される水の方向を斜め下方に向けて散水距離を抑制している。
【０００５】
このように被水防止装置はスプリンクラーヘッドを外的衝撃から保護するプロテクタに設置されたり、あるいはスプリンクラーヘッドを天井裏から室内側に挿通させる穴を隠すシーリングプレートに設置されている。
【先行技術文献】
【特許文献】
【０００６】
【特許文献１】特開平１０−２７２２０１号公報
【発明の概要】
【発明が解決しようとする課題】
【０００７】
近年において、室内の意匠に対する要求が高くなり、上記のプロテクタを設置すると天井からの突出が目立つとの意見があり、被水防止装置をより目立たなくして欲しいとの要望が出てきた。
【０００８】
特許文献１のように、従来の被水防止部材はプロテクタのガードの枠の中に固定して設置されており、スプリンクラーヘッドからの散水の勢いで外れないように構成されていたが、シーリングプレートに被水防止部材を設置する場合には、スプリンクラーヘッドからの散水の勢いで被水防止部材が外れるおそれがある。
【０００９】
また、一つのシーリングプレートに対して被水防止部材を複数設置するケースがあり、その場合に、被水防止部材の位置調整・着脱を容易に行いたいとの要望もある。
【００１０】
そこで本発明では、上記問題に鑑み、スプリンクラーヘッドに用いられる被水防止装置において、スプリンクラーヘッドからの散水の勢いで被水防止部材が外れることが無く、且つ被水防止部材の位置調整・着脱を容易にすることを目的としている。
【課題を解決するための手段】
【００１１】
上記の目的を達成するために、本発明は以下のスプリンクラーヘッドの被水防止装置を提供する。すなわち、天井面に設けられた開口から室内側に先端が露出して設置されたスプリンクラーヘッドに用いられる被水防止装置であり、前記開口を覆うシーリングプレートは、前記天井面に接する皿部の中心側に前記スプリンクラーヘッドが挿通される穴を有しており、前記穴の縁に被水防止部材が設置される差込み穴が所定間隔で複数設置されており、前記差し込み穴は前記開口の内側に配置され、前記被水防止部材は一端が前記差込み穴に挿通され前記シーリングプレートと係合する爪を備える係止部であり、他端には前記スプリンクラーヘッドから散布される水を下方へ向ける遮水部が設置されていることを特徴とするスプリンクラーヘッドの被水防止装置である。
【００１２】
これによれば、被水防止部材をシーリングプレートの皿部の中心側に設置して、スプリンクラーヘッドに沿わせて配置させたことで、被水防止部材を目立たなくすることで意匠性が向上する。また、スプリンクラーヘッドが挿通される穴の縁に差込み穴を複数形成したことで被水防止部材を着脱可能に設置できるとともに任意の位置に設置可能となる。
【００１３】
上記構成の被水防止装置において、差込み穴を天井面の開口の内側に設置したことで、差込み穴の長さと被水防止部材の係止部の長さを天井裏方向に伸長して構成できる。差込み穴の長さが短い場合、遮水部はスプリンクラーヘッドからの流水を受けた際に、水の勢いによって天井面と略平行な方向に力を受けて、係止部が差込み穴から抜け出てしまうおそれがある。これに対して差込み穴の長さ（深さ）と係止部の長さを増やすと、差込み穴の内面と係止部の表面との接触面積が増える。接触面積が増加する程、差込み穴の内面と係止部の表面との摩擦抵抗が増えることから差込み穴から係止部が抜けないように構成できる。摩擦抵抗を増やすために係止部の表面に凸部を付けて構成してもよい。
【００１４】
また、皿部について中心側を室内側へ突出させて周縁に向かうに従い天井面に近づく傾斜を備えるように構成すると、差込み穴の長さと被水防止部材の係止部の長さを室内側にも伸長することができる。
【００１５】
また、係合部は前記差込み穴を通過して皿部の裏面と係合する爪を有して構成でき、さらに該爪を前記スプリンクラーヘッドに対向して係合されるように構成できる。爪を設置したことで、スプリンクラーヘッドが作動して散水が開始された際に、水流の勢いによって被水防止部材が皿部から外れることを防止できる。さらに、爪を前記スプリンクラーヘッドに対向して係合させると、遮水部がスプリンクラーヘッドからの水流を受けた際に、爪が皿部の裏面に食い込むように作用させることができる。
【００１６】
また、差込み穴の形状を皿部の穴の縁に沿った円弧状または短冊状とし、これに対応して係合部の断面形状を差込み穴の形状と同じにした。これによって係合部の側面と差込み穴の内面が当接してスプリンクラーヘッドからの水流の力に耐える強度を確保できる。
【００１７】
さらに、遮水部と係止部の間に皿部の表面に沿って配置される支持部を設置して構成可能である。支持部によって、被水防止部材がスプリンクラーヘッドからの水流を受けた際に、差込み穴から係止部が外れるのを防止するとともに被水防止部材の変形・破損を防止することができる。
【００１８】
また、１つの被水防止部材には複数の係合部が設置されている。これに対して１つの係合部は１つの差込み穴に設置される。これにより被水防止部材の位置調整が容易になる。あるいは１つの差込み穴に対して複数の係合部を挿通するように構成してもよい。
【発明の効果】
【００１９】
以上、説明したように本発明によれば、スプリンクラーヘッドからの散水の勢いで被水防止部材が外れることが無く、且つ被水防止部材の位置調整・着脱が容易に可能な被水防止装置を実現できる。
【図面の簡単な説明】
【００２０】
【図１】給水配管と接続されたスプリンクラーヘッドに本発明の被水防止装置を装着した状態の断面図。
【図２】図１について室内側から見た外観図。
【図３】図２のＸ−Ｘ線におけるシーリングプレートの断面図。
【図４】（ａ）は被水防止部材の正面図であり、（ｂ）は被水防止部材の側面図。
【図５】図２において被水防止部材を複数設置した状態。
【図６】シーリングプレートの変形例。
【発明を実施するための最良の形態】
【００２１】
本発明の被水防止装置について図１〜図６を参照して説明する。本発明の被水防止装置Ｈは、スプリンクラーヘッドＳに装着されるシーリングプレート１０と、被水防止部材２０から構成される。
【００２２】
図１及び図２には、天井面Ｃから露出して設置されたスプリンクラーヘッドＳが図示されている。スプリンクラーヘッドＳは本体１が天井裏の給水配管Ｐと接続されており、感熱分解部２が天井面Ｃから室内側に突出して配置されている。天井面ＣにはスプリンクラーヘッドＳを室内側に露出するための開口３が穿設されている。この開口３を塞ぐためにシーリングプレート１０が設置される。
【００２３】
シーリングプレート１０は樹脂から形成され、筒部１１と皿部１２により構成される。皿部１２には中心にスプリンクラーヘッドＳを挿通するための穴１３が形成されている。穴１３の縁から天井裏側に向かって筒部１１が伸延して設置されている。
【００２４】
筒部１１の内側には、スプリンクラーヘッドＳの外周面に形成された溝４と係合する複数の突起１４が設置されている。溝４は螺旋状に形成されており、シーリングプレート１０を中心軸まわりに回動させると溝４に沿ってシーリングプレート１０が上下方向に移動する。
【００２５】
筒部１１において隣り合う突起１４、１４の間には欠如部１５が形成されている。これにより筒部１１は樹脂の弾性による変形が容易となる。シーリングプレート１０をスプリンクラーヘッドＳに取付ける際に、スプリンクラーヘッドＳの感熱分解部２側から筒部１１を挿通させると、筒部１１は弾性変形して突起１４が溝４を乗り越える。皿部１２の縁が天井面Ｃに近づいたら、シーリングプレート１０を回転させて突起１４を溝４に沿わせて移動して皿部１２の縁を天井面Ｃに接触させる。
【００２６】
皿部１２には被水防止部材２０を取付けるための差込み穴１６が設置されている。差込み穴１６は穴１３の縁に沿って均等間隔で配置される。差込み穴１６の数は８〜２４個程度設置が可能であり、図２においては１６箇所の差込み穴１６があり、差込み穴１６の角度間隔は２２．５度で配置されている。尚、全ての差込み穴１６は穴１３と同芯である二点鎖線で示す仮想円上に配置されている。
【００２７】
皿部１２は穴１３付近が室内側に突出しており、縁に向かうに従い天井面に近づく傾斜が付されている。このような構成としたことで、差込み穴１６の深さを確保して被水防止部材２０と差込み穴１６との係合強度を向上させることができる。また差込み穴１６は、天井面Ｃに穿設された開口３の内側に配置されており、図３に破線で示すように差込み穴１６の長さを天井裏側にさらに伸ばすことができる。
【００２８】
被水防止部材２０は、図４に示すように一端に係止部２１を有しており、他端には遮水部２２が形成されている。
【００２９】
係止部２１の断面形状は、差込み穴１６の形状と略同じであり、その大きさは差込み穴１６よりも僅かに小さく構成される。係止部２１の端には爪２３が設置されている。爪２３は先端が楔形状をしており、スプリンクラーヘッドＳと対向する側に段部２４が設置されている。
【００３０】
段部２４は皿部１２の裏面と係合する。段部２４をスプリンクラーヘッドＳと対向するように構成したことで、スプリンクラーヘッドＳが作動して散水が開始された際に、水流の勢いによって被水防止部材２０が皿部１２から外れることを防止できる。より具体的にはスプリンクラーヘッドＳからの水流は遮水部２２に衝突して水流の向きを下方に変られることから、図１において被水防止部材２０は矢印の方向に力を受ける。このとき段部２４は皿部１２の裏面に食い込むように作用して被水防止部材２０が差込み穴１６から外れることを防止する。
【００３１】
遮水部２２は、複数の板２５を層状に配置して構成される。遮水部２２には筒部１１の軸と平行な方向に伸びる柱部２６が設置されており、柱部２６に複数の板２５が所定間隔で設置されている。板２５は斜め下方に傾いて設置されており、スプリンクラーヘッドＳからの水流を下方へ向ける作用を有する。
【００３２】
係止部２１と遮水部２２の間には支持部２７が設置されている。支持部２７は皿部１２の表面に沿って配置される。支持部２７は皿部１２に隣接する板２５に設置される。図中において支持部２７は板２５よりも小さく目立たないように構成されている。支持部２７はスプリンクラーヘッドＳからの水流によって被水防止部材２０が差込み穴１６から外れるのを防止するとともに、被水防止部材２０の変形・破損を防止する作用を有する。
【００３３】
ところで、差込み穴１６が設置されている円周上において被水防止部材２０の位置を少しだけ右に移動したい場合、シーリングプレート１０を右に回転させて位置を調整できるが、図５に示すように複数の被水防止部材２０Ａ、２０Ｂが設置される場合はシーリングプレート１０を回転させると全ての被水防止部材２０Ａ、２０Ｂが移動してしまう。本発明では、移動させたい被水防止部材２０Ｂを右隣りの差込み穴１６に差し込むことで位置の変更が容易に行える。
【００３４】
具体的に説明すると、図５のシーリングプレート１０では、差込み穴１６は均等間隔で１６個設置されており、隣り合う２つの差込み穴１６ａ、１６ｂに対して１つの被水防止部材２０Ｂが設置される。被水防止部材２０Ｂの位置を少し右に移動したい場合、係止部２１を差込み穴１６ａ、１６ｂから取外して、差込み穴１６ｂ、１６ｃに取付ける。このとき差込み穴１６が配置されている円周（図２に示す二点鎖線の円）上において、被水防止部材２０Ｂの幅Ｗ１は差込み穴１６の幅Ｗ２に対して約２倍であることから、前記円周上において被水防止部材２０の幅寸法Ｗ１に対して約半分の距離だけ右に移動するので微量な位置調整が可能となる。
【００３５】
差込み穴１６の変形例として、２つの差込み穴１６を連結して差込み穴の数を半分にして構成したものを図６に示す。シーリングプレート１０Ａの差込み穴１６Ａには、１つの被水防止部材２０に設置された２つの係止部２１が挿通可能である。また、被水防止部材２０の２つの係止部２１、２１の間の隙間２１ａに２つの差込み穴１６Ａの間の仕切り１７を嵌め込むように係止部２１を差込み穴１６Ａに挿通すると、隣接する２つの差込み穴１６Ａ、１６Ａの間の位置に被水防止部材２０を取付けることができる。
【符号の説明】
【００３６】
Ｃ  天井面  
Ｈ  被水防止装置  
Ｓ  スプリンクラーヘッド  
１  本体  
２  感熱分解部  
３  開口  
４  溝  
１０  シーリングプレート  
１１  筒部  
１２  皿部  
１３  穴  
１６  差込み穴  
１７  仕切り  
２０  被水防止部材  
２１  係止部  
２２  遮水部  
２３  爪  
２４  段部  
２５  板  
２６  柱部  
２７  支持部  
【図１】
2020150965.tif 000003
【図２】
2020150965.tif 000004
【図３】
2020150965.tif 000005
【図４】
2020150965.tif 000006
【図５】
2020150965.tif 000007
【図６】
2020150965.tif 000008